(57)【要約】  本発明は、トイレ内を清潔に保ち、トイレ内の収納スペースを有効利用し、便器（特に内側）の清掃を適切に実施することによって、トイレ環境の向上を実現することが可能な、便器用清掃具（比較的簡単な構成を有する便器用清掃具）を提供することを課題とする。  本発明は、持ち手部（１０Ｈ）と清掃部（１０Ｃ）とを備えた便器用清掃具（１０）であって、持ち手部（１０Ｈ）および清掃部（１０Ｃ）が紙を用いて構成されており、使用者が持ち手部（１０Ｈ）を把持した際の長手方向の最遠部（清掃部端部（１０Ｃ１））を含む領域が清掃部（１０Ｃ）として機能し、清掃部（１０Ｃ）の少なくとも先端部には、水に溶けるまで所定時間を要する塗料が塗布されていることを特徴としている。
2018131382.tif 000002
【特許請求の範囲】
【請求項１】
持ち手部と清掃部とを備えた便器用清掃具であって、
前記持ち手部および前記清掃部が紙を用いて構成されており、
使用者が前記持ち手部を把持した際の長手方向の最遠部を含む領域が前記清掃部として機能し、
前記清掃部の少なくとも先端部には、水に溶けるまで所定時間を要する塗料が塗布されている
ことを特徴とする便器用清掃具。
【請求項２】
前記持ち手部および前記清掃部は長方形状の紙を用いて一体的に構成されており、
前記長方形状の紙の長手方向の一方端部が前記持ち手部として機能し、前記長方形状の紙の長手方向の他方端部が前記清掃部として機能し、
前記長方形状の紙の長手方向に直交する断面形状がＵ字型である
ことを特徴とする請求項１記載の便器用清掃具。
【請求項３】
前記塗料が芳香機能を有する請求項１または２に記載の便器用清掃具。
【発明の詳細な説明】
【技術分野】
【０００１】
本発明は、便器（特に、便器内側）の清掃を行う際に用いる便器用清掃具に関するものである。
【背景技術】
【０００２】
便器の清掃を行う道具（便器用清掃具）としては、多種多様なものが知られている。【０００３】
従来技術にかかる便器用清掃具の一つとしては、例えば、棒状の柄（木製あるいは合成樹脂製等の柄）と、この柄の先端に設けられたブラシ部とを有する清掃具が知られている。
このようなブラシ部を有する便器用清掃具は、便器内部に残留汚物等が付着している場合、この付着している残留汚物等をブラシ部にてこそぎ落とすように、使用者が柄を把持した状態でブラシ部を上下左右に動かすように用いる。
このようなブラシ部を有する便器用清掃具は、ブラシ部に残留汚物等が詰まったり、使用後の便器用清掃具をトイレ内に収納したりするため、衛生上の問題とスペース的な問題があった。【０００４】
また、他の従来技術にかかる便器用清掃具としては、ブラシ本体と、紙ぞうきんとを用いるものが知られている（特許文献１参照。）。
この特許文献１に示された清掃具は、清掃後、紙ぞうきんはトイレに流すことができるが、紙ぞうきんをトイレに流す際に、使用者がブラシ本体から紙ぞうきんを取り外す必要がある。加えて、ブラシ本体および紙ぞうきんは、トイレ内あるいはその近くに収納しなければならない。
つまり、このような従来技術にかかる便器用清掃具においては、清掃後の紙ぞうきんの取り外しを行ったり（紙ぞうきんに触れたり）、使用後のブラシ本体および紙ぞうきんをトイレ内に収納したりするため、衛生上の問題とスペース的な問題があった。
【先行技術文献】
【特許文献】
【０００５】
【特許文献１】特開２００１−４６２７９号公報
【発明の概要】
【発明が解決しようとする課題】
【０００６】
そこで、本発明は、上記従来技術の問題を解決するためになされたものであって、トイレ内を清潔に保ち、トイレ内の収納スペースを有効利用し、便器（特に内側）の清掃を適切に実施することによって、トイレ環境の向上を実現することが可能な、便器用清掃具（比較的簡単な構成を有する便器用清掃具）を提供することを課題とする。
【課題を解決するための手段】
【０００７】
本発明の第一態様は、上記課題を解決するためになされたものであり、持ち手部と清掃部とを備えた便器用清掃具であって、前記持ち手部および前記清掃部が紙を用いて構成されており、使用者が前記持ち手部を把持した際の長手方向の最遠部を含む領域が前記清掃部として機能し、前記清掃部の少なくとも先端部には、水に溶けるまで所定時間を要する塗料が塗布されていることを特徴としている。【０００８】
このように構成された第一態様にかかる便器用清掃具によれば、前記持ち手部および前記清掃部が紙を用いて構成されているため、便器内側の清掃作業等を行った後、この便器用清掃具は、便器内に廃棄することができる。また、このような構成によれば、前記清掃部の少なくとも先端部には、水に溶けるまで所定時間を要する塗料が塗布されているため、前記清掃部の先端部は、水に濡れた場合であっても所定時間だけある程度の強度を有する。したがって、このような構成にかかる前記清掃部によれば、前記先端部を用いて、適切に便器内側の清掃処理を実施することができる。さらに、このような構成によれば、前記清掃部に塗布されている前記塗料は所定時間経過後には水に溶けるため、上述したように、前記便器用清掃具は、清掃作業後に便器内に廃棄することができる。また、このような構成によれば、従来技術に示したような柄やブラシ部およびブラシ本体等も不要であるため、これらの余分な部品等を収納する必要がない。よって、このような構成によれば、トイレ内の収納スペースを有効活用することができる。
以上のように、第一態様にかかる便器用清掃具は、使用者は持ち手部のみを把持し、使用前後において清掃部に接触する必要はなく、使用後は便器内に廃棄可能である。つまり、このような構成によれば、使用者およびトイレ内を清潔に保つことができる。また、このような構成によれば、便器用清掃具は紙のみ（使用後は廃棄可能な紙のみ）で構成され、従来必要であったブラシ本体等も不要であるため、トイレ内に大きな収納スペースを必要としない。さらに、前記清掃部の少なくとも先端部には、水に溶けるまで所定時間を要する塗料が塗布されているため、所定の強度を有し、便器内側であっても（水に濡れたとしても）適切に清掃を実施することができる。
したがって、このような構成にかかる便器用清掃具（比較的簡単な構成を有する便器用清掃具）によれば、トイレ内を清潔に保ち、トイレ内の収納スペースを有効利用し、便器（清掃具）によれば、トイレ内を清潔に保ち、トイレ内の収納スペースを有効利用し、便器（特に内側）の清掃を適切に実施することによって、トイレ環境の向上を実現することができる。【０００９】
本発明の第二態様は、上記課題を解決するためになされたものであり、持ち手部と清掃部とを備えた便器用清掃具であって、前記持ち手部および前記清掃部が長方形状の紙を用いて一体的に構成されており、前記長方形状の紙の長手方向の一方端部が前記持ち手部として機能し、前記長方形状の紙の長手方向の他方端部が前記清掃部として機能し、前記長方形状の紙の長手方向に直交する断面形状がＵ字型であり、前記清掃部の少なくとも先端部には、水に溶けるまで所定時間を要する塗料が塗布されていることを特徴としている。【００１０】
このように構成された第二態様にかかる便器用清掃具によれば、上述した第一態様にかかる便器用清掃具と同様の効果に加え、以下の効果を得ることができる。
このような構成によれば、断面形状がＵ字型に形成されているため、前記持ち手部および前記清掃部の強度が高まる。よって、このような構成によれば、便器内側の残留汚物を除去すべく、使用者が前記持ち手部を把持して前記清掃部の先端部を便器内側に比較的強い力で押し付けても、前記便器用清掃具の形は維持されるため、適切に清掃作業を行うことができる。また、このように構成された断面Ｕ字型の便器用清掃具によれば、前記清掃部の先端部を便器内側の曲面に密着して沿わせるように使用可能であるため、便器内側に付着している残留汚物を適切に除去することができる。さらに、この便器用清掃具は、前記長方形状の紙を用いて断面形状がＵ字型に形成されているため、多数の前記便器用清掃具を重ね合わせた状態で備蓄することができる。よって、このような構成によれば、多数の重ね合わせた前記便器用清掃具を僅かなスペースに収納可能であって、特に広い収納スペースを必要としないため、トイレ内の収納スペースを効率的に利用することができる。【００１１】
本発明の第三態様は、上述した第一態様または第二態様にかかる前記便器用清掃具において、前記塗料が芳香機能を有する構成であることが好ましい。【００１２】
この第三態様にかかるような構成によれば、先に説明した第一態様または第二態様のそれぞれの作用効果に加え、以下の効果を得ることができる。
このような構成によれば、所定時間経過後に水に溶ける芳香機能を有する塗料が、前記清掃部の少なくとも先端部に塗布されているため、前記清掃部の先端部は、水に濡れた場合であっても所定時間だけある程度の強度を有する。加えて、このような構成によれば、前記便器用清掃具を使用しない場合（備蓄している状態の場合）、芳香剤として利用することができる。【００１３】
また、本発明の第四態様は、上述した第一態様から第三態様にかかる前記便器用清掃具において、前記清掃部の先端部が、塗料が塗布されている塗布領域と、塗料が塗布されていない非塗布領域とを備えている構成であることが好ましい。つまり、前記清掃部の先端部が、水を染み込みにくい領域（塗布領域）と、水が染み込みやすい領域（非塗布領域）とを有すべく構成されていることが好ましい。【００１４】
この好ましい構成によれば、便器内側に残留汚物がこびりついて取れにくい場合に、高い効果を発揮しうる。具体的には、この好ましい構成によれば、非塗布領域に水（便器内の水）を染み込ませて、残留汚物およびその周辺に非塗布領域を介して水分を補充し、その後、塗布領域を使って残留汚物をこそぎ落とすことができる。つまり、水分を用いて清掃処理を行うことができるため、便器内側にこびりついた汚れについても、効果的に除去することが可能となる。
【発明の効果】
【００１５】
本発明によれば、トイレ内を清潔に保ち、トイレ内の収納スペースを有効利用し、便器（特に内側）の清掃を適切に実施することによって、トイレ環境の向上を実現することが可能な、便器用清掃具（比較的簡単な構成を有する便器用清掃具）を得ることができる。加えて、本発明によれば、小さく薄い構成であるため、携帯が容易となって外出先のトイレでも使用可能な便器用清掃具を得ることができる。
【図面の簡単な説明】
【００１６】
【図１Ａ】本発明の実施形態にかかる便器用清掃具の概略斜視図である。
【図１Ｂ】図１Ｂは図１ＡのＢ−Ｂ断面図である。
【図２】本発明の実施形態にかかる便器用清掃具を保管する（積層して保管する）際の概略斜視図である。
【図３】本発明の実施形態にかかる便器用清掃具を使用する際の使用状態概略図（載置状態図）である。
【図４】本発明の実施形態にかかる便器用清掃具を用いて便器を清掃する際の使用状態概略図である。
【図５】液体のりにより塗料塗布層をなした便器用清掃具を水温５℃の水に浸漬させた結果を示す図である。
【図６】液体のりにより塗料塗布層をなした便器用清掃具を水温１５℃の水に浸漬させた結果を示す図である。
【図７】液体のりにより塗料塗布層をなした便器用清掃具を水温２５℃の水に浸漬させた結果を示す図である。
【図８】木工用ボンドにより塗料塗布層をなした便器用清掃具を水温５℃の水に浸漬させた結果を示す図である。
【図９】木工用ボンドにより塗料塗布層をなした便器用清掃具を水温１５℃の水に浸漬させた結果を示す図である。
【図１０】木工用ボンドにより塗料塗布層をなした便器用清掃具を水温２５℃の水に浸漬させた結果を示す図である。
【符号の説明】
【００１７】
１０  便器用清掃具
１０Ｃ  清掃部
１０Ｃ１  清掃部端部
１１  本体部
１９  塗料塗布層
Ｆ  汚物
Ｓ  使用者
Ｔ  便器
Ｔ１  便器内側
Ｘ  載置用容器
【発明を実施するための形態】
【００１８】
以下、図面に基づき、本発明の実施形態いついて説明する。
図１Ａは、本発明の実施形態にかかる便器用清掃具（断面Ｕ字型）の概略図を示したものであり、図１Ｂは図１ＡのＢ−Ｂ断面図を示したものである。また、図２は、本発明の実施形態にかかる便器用清掃具を保管する（積層して保管する）際の概略斜視図を示したものである。さらに、図３は、本発明の実施形態にかかる便器用清掃具を使用する際の使用状態概略図（載置状態図）を示したものである。さらに、図４は、本発明の実施形態にかかる便器用清掃具を用いて便器を清掃する際の使用状態概略図を示したものである。
【００１９】
図１Ａおよび図１Ｂに示すように、本発明の実施形態にかかる便器用清掃具１０は、本体部１１と、この本体部１１の所定領域に形成された塗料塗布層１９とを用いて構成されている。また、図１Ｂに示すように、本実施形態にかかる便器用清掃具１０（をなす本体部１１）は、断面Ｕ字型に形成されている。
【００２０】
本実施形態にかかる便器用清掃具１０をなす本体部１１は、長方形状の紙を用いて断面Ｕ字型に構成されている。より具体的には、この本体部１１は、水溶解性の紙（水解紙）等を用いて構成されている。ここで、水解紙とは、水に接触すると、水解紙を構成する繊維が分離し、このようにして分離した繊維が水中に分散する性質を有する紙のことである。
また、本実施形態にかかる本体部１１は、パルプ等の水解紙素材とハーブ等の香料素材粉末との混合物を用いて構成してもよい。このように構成された本体部１１を用いれば、比較的簡単かつ効果的に、芳香機能を有する便器用清掃具１０を得ることができる。
【００２１】
また、本実施形態にかかる便器用清掃具１０をなす塗料塗布層１９は、本体部１１の外側の所定領域に、水に溶けるまで所定時間を要する塗料を塗布することによって構成されている。この塗料塗布層１９をなす塗料としては、例えば、ポリビニルアルコールを含有した塗料や酢酸ビニル樹脂を含有した塗料等があげられる。ポリビニルアルコールを含有した塗料としては、例えば、ポリビニルアルコールを主成分とするヤマト株式会社製の液状のり（商品名：アラビックヤマト）を水で希釈して使用することができる。また、酢酸ビニル樹脂を含有した塗料としては、例えば、酢酸ビニル樹脂を主成分とするコニシ株式会社製の一般工作用接着剤（商品名：ボンド  木工用（酢酸ビニル樹脂系エマルジョン形接着剤））を水で希釈して使用することができる。
【００２２】
また、本実施形態にかかる塗料塗布層１９は、清掃部端部１０Ｃ１から持ち手部１０Ｈにかけて、その砥粒塗布層１９の厚さを次第に変化させる構成とすることが好ましい。具体的には、清掃部端部１０Ｃ１を薄く形成し（１μｍ〜５０μｍ程度）、持ち手部１０Ｈ側を厚く形成し（３０μｍ〜１５０μｍ程度）、清掃部端部１０Ｃ１から持ち手部１０Ｈにかけて、段々と厚さが増すように塗料塗布層１９を形成することが好ましい。この好ましい構成によれば、清掃部端部１０Ｃ１から次第に本体部１１が溶け出し、清掃部端部１０Ｃ１と便器とのなじみが増すため、適切に清掃処理を行うことができる。また、持ち手部１０Ｈ側の塗料塗布層１９が厚く形成されているため、清掃部端部１０Ｃ１が溶け出しても、持ち手部１０Ｈ側が直ちに溶け出すことはない。よって、適切に持ち手部１０Ｈを把持して清掃処理を行うことができる。
【００２３】
さらに、本実施形態にかかる塗料塗布層１９をなす塗料は、芳香機能を有することが好ましい。この好ましい塗料としては、例えば、構成要素の一つとしてハーブ（有用植物）等から得られる香料等を含む塗料があげられる。ただし、上述したように、本体部１１が香料素材粉末等の混合物を用いて構成されている場合には、塗料中に香料等を含有させなくてもよい。
【００２４】
本実施形態にかかる便器用清掃具１０は、上述した材料を用いて図１Ａ等に示すべく構成されており、これらの図に示すように、便器用清掃具１０は、清掃部１０Ｃと持ち手部１０Ｈとを有している。便器用清掃具１０をなす清掃部１０Ｃは、塗料塗布層１９が形成された領域であり、便器用清掃具１０をなす持ち手部１０Ｈは、塗料塗布層１９が形成されておらず、本体部１１が露出している領域である。
【００２５】
また、図１Ａに示すように、本実施形態にかかる便器用清掃具１０を把持する部分である持ち手部１０Ｈの端部（持ち手部端部１０Ｈ１）と、便器用清掃具１０をなす清掃部１０Ｃの端部（清掃部端部１０Ｃ１）とを結ぶ線分方向が、本発明における「長手方向」である。本実施形態にかかる便器用清掃具１０において、使用者が持ち手部１０Ｈを把持した際の長手方向の最遠部は、清掃部端部１０Ｃ１である。
【００２６】
本実施形態にかかる便器用清掃具１０は、図１Ａに示すように構成されており、実際に便器内側に付着した汚物等の清掃を行う場合には、使用者が持ち手部１０Ｈを把持した状態で清掃作業を行う。より具体的には、図４に示すように、使用者Ｓが持ち手部１０Ｈを把持した状態で、便器内側Ｔ１に付着した汚物Ｆ等をこそぎ落とすように、清掃部１０Ｃ（の特に清掃部端部１０Ｃ１）を汚物等に接触させた状態で上下左右に動かす。つまり、塗料塗布層１９が形成された清掃部１０Ｃを用いて、便器Ｔ内の汚物Ｆ等を除去するための清掃作業が行われる。
【００２７】
また、本実施形態にかかる便器用清掃具１０は、図１Ａおよび図１Ｂに示すように断面Ｕ字型であるため、保管する際には、図２に示すように、複数の便器用清掃具１０を積層した状態で保管することができる。したがって、本実施形態によれば、少ない保管スペースに多くの便器用清掃具１０を積層保管することができる。
【００２８】
さらに、本実施形態にかかる便器用清掃具１０は、例えば、図３に示すように、トイレ内に載置される。つまり、本実施形態にかかる便器用清掃具１０が実際に使用される際には、トイレ内の所定箇所にカップ等の載置用容器Ｘが置かれ、その中に複数の便器用清掃具１０が載置される。この際、便器用清掃具１０の持ち手部１０Ｈが上になるように、便器用清掃具１０は載置用容器Ｘ内に載置される。
【００２９】
本実施形態にかかる便器用清掃具１０は、以上のように構成され、また使用されるため、次のような作用効果を得ることができる。
【００３０】
本実施形態にかかる便器用清掃具１０は、持ち手部１０Ｈと清掃部１０Ｃとを備えた便器用清掃具１０であって、持ち手部１０Ｈおよび清掃部１０Ｃが紙を用いて構成されており、使用者が持ち手部１０Ｈを把持した際の長手方向の最遠部（清掃部端部１０Ｃ１）を含む領域が清掃部１０Ｃとして機能し、清掃部１０Ｃの少なくとも先端部には、水に溶けるまで所定時間を要する塗料が塗布されていることを特徴としている。つまり、便器用清掃具１０の先端部には、塗料塗布層１９が形成されており、本実施形態においては、この塗料塗布層１９が形成されている領域が清掃部１０Ｃとして機能する。
【００３１】
また、本実施形態にかかる便器用清掃具１０は、より具体的な構成として、持ち手部１０Ｈと清掃部１０Ｃとを備えた便器用清掃具１０であって、持ち手部１０Ｈおよび清掃部１０Ｃが長方形状の紙（本体部１１）を用いて一体的に構成されており、長方形状の紙（本体部１１）の長手方向の一方端部（を含む領域）が持ち手部１０Ｈとして機能し、長方形状の紙（本体部１１）の長手方向の他方端部（を含む領域）が清掃部１０Ｃとして機能し、長方形状の紙（本体部１１）の長手方向に直交する断面形状がＵ字型であり、清掃部１０Ｃの少なくとも先端部には、水に溶けるまで所定時間を要する塗料が塗布されている（塗料塗布層１９が形成されている）ことを特徴としている。
【００３２】
このように構成された本実施形態にかかる便器用清掃具１０によれば、持ち手部１０Ｈおよび清掃部１０Ｃが紙を用いて構成されているため、便器内側の清掃作業等を行った後、この便器用清掃具１０は、便器内に廃棄することができる。また、このような構成によれば、清掃部１０Ｃの少なくとも先端部には、水に溶けるまで所定時間を要する塗料が塗布されているため、清掃部１９Ｃの先端部は、水に濡れた場合であっても所定時間だけある程度の強度を有する。したがって、このような構成にかかる清掃部１０Ｃによれば、先端部（清掃部端部１０Ｃ）を用いて、適切に便器内側の清掃処理を実施することができる。さらに、このような構成によれば、清掃部１０Ｃに塗布されている塗料は所定時間経過後には水に溶けるため、上述したように、便器用清掃具１０は、清掃作業後に便器内に廃棄することができる。また、このような構成によれば、従来技術に示したような柄やブラシ部およびブラシ本体等も不要であるため、これらの余分な部品等を収納する必要がない。よって、このような構成によれば、トイレ内の収納スペースを有効活用することができる。加えて、このような構成によれば、小さく薄い構成であるため、携帯が容易となって外出先のトイレでも使用することができる。
【００３３】
さらに、本実施形態にかかる便器用清掃具１０は、使用者は持ち手部１０Ｈのみを把持し、使用前後において清掃部１０Ｃに接触する必要はなく、使用後は便器内に廃棄可能である。つまり、このような構成によれば、使用者およびトイレ内を清潔に保つことができる。また、このような構成によれば、便器用清掃具１０は紙のみ（使用後は廃棄可能な紙のみ）で構成され、従来必要であったブラシ本体等も不要であるため、トイレ内に大きな収納スペースを必要としない。さらに、清掃部１０の少なくとも先端部には、水に溶けるまで所定時間を要する塗料が塗布されているため（塗料塗布層１９が形成されているため）、その先端部は所定の強度を有し、便器内側であっても（水に濡れたとしても）適切に清掃を実施することができる。
したがって、このような構成にかかる便器用清掃具１０（比較的簡単な構成を有する便器用清掃具）によれば、トイレ内を清潔に保ち、トイレ内の収納スペースを有効利用し、便器（特に内側）の清掃を適切に実施することによって、トイレ環境の向上を実現することができる。
【００３４】
また、本実施形態にかかる便器用清掃具１０によれば、本体部１１の断面形状がＵ字型に形成されているため、持ち手部１０Ｈおよび清掃部１０Ｃの強度が高まる。よって、このような構成によれば、便器内側の残留汚物を除去すべく、使用者が持ち手部１０Ｈを把持して清掃部１０Ｃの先端部を便器内側に比較的強い力で押し付けても、便器用清掃具の形は維持されるため、適切に清掃作業を行うことができる。また、このように構成された断面Ｕ字型の便器用清掃具１０によれば、清掃部１０Ｃの先端部を便器内側の曲面に密着して沿わせるように使用可能であるため、便器内側に付着している残留汚物を適切に除去することができる。さらに、この便器用清掃具１０は、長方形状の紙からなる本体部１１を用いて断面形状がＵ字型に形成されているため、多数の便器用清掃具１０を重ね合わせた状態で備蓄することができる。よって、このような構成によれば、多数の重ね合わせた便器用清掃具１０を僅かなスペースに収納可能であって、特に広い収納スペースを必要としないため、トイレ内の収納スペースを効率的に利用することができる。
【００３５】
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。
【００３６】
上記実施形態おいては、長方形状の紙を加工して種々の形状および特徴を有する便器用清掃具を構成する場合について説明したが、本発明はこの構成に限定されない。したがって、例えば、楕円形状、三角形状等、種々の形状の紙を加工して便器用清掃具を構成してもよい。
【００３７】
また、上記実施形態においては、便器用清掃具が、断面Ｕ字型（図１Ａ等参照。）である場合について説明したが、本発明はこの構成に限定されない。したがって、例えば、必要に応じて、便器用清掃具が、断面Ｗ字型、断面Ｖ字型、断面Ｙ字型、断面Ｎ字型、断面Ｘ字型、断面Ｚ字型、あるいは断面十字型等であってもよい。
【００３８】
さらに、上記実施形態においては、便器用清掃具が、断面Ｕ字型（図１Ａ等参照。）等である場合について説明したが、本発明はこの構成に限定されない。したがって、例えば、便器用清掃具は、細い鉛筆のような円柱形状、三角柱形状、あるいは四角柱形状等であってもよい。
【実施例】
【００３９】
上記実施形態にかかる便器用清掃具１０について水溶試験を行った。試験に使用した便器用清掃具１０は、厚さ０．２ｍｍの水解紙を３．５ｃｍ×１８ｃｍの長方形状にカットし、半円状のプラスチック製パイプの凹面にセットし、この水解紙の凹面に前述の塗料塗布層１９をなす塗料を吹き付け、乾燥後、再度この水解紙を半円状のプラスチック製パイプの凸面にセットし、水解紙の凸面にも同様に塗料を吹き付け、乾燥したものである。【００４０】
試験に使用した塗料は、ポリビニルアルコールを主成分とするヤマト株式会社製の液状のり（商品名：アラビックヤマト（成分（質量比）：ポリビニルアルコール１３％、水８７％））（以下、「液体のり」と称す。）を水で希釈したもの、および、酢酸ビニル樹脂を主成分とするコニシ株式会社製の一般工作用接着剤（商品名：ボンド  木工用（酢酸ビニル樹脂系エマルジョン形接着剤）（成分（質量比）：酢酸ビニル樹脂４１％、水５９％））（以下、「木工用ボンド」と称す。）を水で希釈したものである。試験は、塗料の希釈倍率を変化させた試験体を用意し、水温５℃、１５℃、２５℃の水に浸漬させて水解紙が柔らかくなり始めるまでの時間（秒）を複数回計測し、平均値を算出した。【００４１】
図５は液体のりにより塗料塗布層１９をなした便器用清掃具１０を水温５℃の水に浸漬させた結果である。水温５℃の場合、液体のり無塗布の水解紙では、５分２０秒で柔らかくなり、その後まもなく溶解した。液体のりの希釈倍率１００００倍（成分比７６９２３倍）程度のとき、無塗布の水解紙と同程度の時間で便器用清掃具１０は柔らかくなり始めた。８０００倍（成分比６１５３８倍）では無塗布の水解紙よりも約３１秒間柔らかくなり始めるのが遅くなっており、塗料塗布層１９によって便器用清掃具１０は水から守られている。すなわち、水温５℃の条件では、液体のりの希釈倍率は８０００倍（成分比６１５３８倍）以下とするのがよい。また、便器用清掃具１０は便器清掃中は溶解せずに、清掃終了後は速やかに溶解することが望ましいため、柔らかくなり始めるまでの時間は長くても１０分前後であればよく、希釈倍率は１００倍〜８０００倍とするのがよい。【００４２】
図６は液体のりにより塗料塗布層１９をなした便器用清掃具１０を水温１５℃の水に浸漬させた結果である。水温１５℃の場合、液体のり無塗布の水解紙では、３分５０秒で柔らかくなり、その後まもなく溶解した。液体のりの希釈倍率６０００倍（成分比４６１５３倍）程度のとき、無塗布の水解紙と同程度の時間で便器用清掃具１０は柔らかくなり始めた。３０００倍（成分比２３０７６倍）では無塗布の水解紙よりも約２５秒間柔らかくなり始めるのが遅くなっており、塗料塗布層１９によって便器用清掃具１０は水から守られている。すなわち、水温１５℃の条件では、液体のりの希釈倍率は３０００倍（成分比２３０７６倍）以下とするのがよい。【００４３】
図７は液体のりにより塗料塗布層１９をなした便器用清掃具１０を水温２５℃の水に浸漬させた結果である。水温２５℃の場合、液体のり無塗布の水解紙では、２分００秒で柔らかくなり、その後まもなく溶解した。液体のりの希釈倍率２０００倍（成分比１５３８４倍）程度のとき、無塗布の水解紙と同程度の時間で便器用清掃具１０は柔らかくなり始めた。４００倍（成分比３０７６倍）では無塗布の水解紙よりも約２３秒間柔らかくなり始めるのが遅くなっており、塗料塗布層１９によって便器用清掃具１０は水から守られている。すなわち、水温２５℃の条件では、液体のりの希釈倍率は４００倍（成分比３０７６倍）以下とするのがよい。【００４４】
図８は木工用ボンドにより塗料塗布層１９をなした便器用清掃具１０を水温５℃の水に浸漬させた結果である。水温５℃の場合、木工用ボンド無塗布の水解紙では、５分２０秒で柔らかくなり、その後まもなく溶解した。木工用ボンドの希釈倍率１５０００倍（成分比３６５８５倍）程度のとき、無塗布の水解紙と同程度の時間で便器用清掃具１０は柔らかくなり始めた。１００００倍（成分比２４３９０倍）では無塗布の水解紙よりも約４０秒間柔らかくなり始めるのが遅くなっており、塗料塗布層１９によって便器用清掃具１０は水から守られている。すなわち、水温５℃の条件では、木工用ボンドの希釈倍率は１００００倍（成分比２４３９０倍）以下とするのがよい。【００４５】
図９は木工用ボンドにより塗料塗布層１９をなした便器用清掃具１０を水温１５℃の水に浸漬させた結果である。水温１５℃の場合、木工用ボンド無塗布の水解紙では、３分５０秒で柔らかくなり、その後まもなく溶解した。木工用ボンドの希釈倍率６０００倍（成分比９７５６倍）程度のとき、無塗布の水解紙と同程度の時間で便器用清掃具１０は柔らかくなり始めた。４０００倍（成分比９７５６倍）では無塗布の水解紙よりも約２５秒間柔らかくなり始めるのが遅くなっており、塗料塗布層１９によって便器用清掃具１０は水から守られている。すなわち、水温１５℃の条件では、木工用ボンドの希釈倍率は４０００倍（成分比９７５６倍）以下とするのがよい。【００４６】
図１０は木工用ボンドにより塗料塗布層１９をなした便器用清掃具１０を水温２５℃の水に浸漬させた結果である。水温２５℃の場合、木工用ボンド無塗布の水解紙では、２分００秒で柔らかくなり、その後まもなく溶解した。木工用ボンドの希釈倍率１００倍（成分比２４４倍）程度のとき、無塗布の水解紙と同程度の時間で便器用清掃具１０は柔らかくなり始めた。５０倍（成分比１２２倍）では無塗布の水解紙よりも約３０秒間柔らかくなり始めるのが遅くなっており、塗料塗布層１９によって便器用清掃具１０は水から守られている。すなわち、水温１５℃の条件では、木工用ボンドの希釈倍率は５０倍（成分比１２２倍）以下とするのがよい。【００４７】
以上のように、水温によって塗料塗布層１９をなす塗料の希釈倍率は異なるため、便器用清掃具１０は水温（季節）ごとに適切な塗料の希釈倍率を選択して製造することが望ましい。そして、それぞれの水温（季節）用の便器用清掃具１０を色分けするなどして、区別できるようにしておくのがよい。
【産業上の利用可能性】
【００４８】
本発明の便器用清掃具は、便器（特に、便器内側）の清掃を行う際に用いる便器用清掃具として有用であり、特に、トイレ内を清潔に保ち、トイレ内の収納スペースを有効利用し、便器の清掃を適切に実施することによって、トイレ環境の向上を実現することが可能な便器用清掃具として好適である。
【図１Ａ】
2018131382.tif 000003
【図１Ｂ】
2018131382.tif 000004
【図２】
2018131382.tif 000005
【図３】
2018131382.tif 000006
【図４】
2018131382.tif 000007
【図５】
2018131382.tif 000008
【図６】
2018131382.tif 000009
【図７】
2018131382.tif 000010
【図８】
2018131382.tif 000011
【図９】
2018131382.tif 000012
【図１０】
2018131382.tif 000013
【国際調査報告】
2018131382.tif 000014
2018131382.tif 000015
2018131382.tif 000016
2018131382.tif 000017